(57)【要約】  低温圧縮機のための漏れの少ないエンクロージャは、環境調整装置と、超低温クーラントラインを超伝導型の事業用電源変圧器に向かわせるガイド固定部とを備える。この自己収容システムは、要求される数の高性能クーラント圧縮機／冷却機を狭い温度範囲内に維持し、保護のない野外環境下での信頼性のある運転を実現させる。【選択図】  図１
2007509283.tif 000002
【特許請求の範囲】
【請求項１】
ハウジング内の低温装置の少なくとも１つのクーラント圧縮機／冷却機を収容するためのエンクロージャであって、
前記低温装置のハウジングに結合されたキャビネットと、
前記キャビネットに取り付けられたエアコンディショナと、
前記キャビネット内に設けられた複数のクーラントラインガイドと、を含んで構成されるエンクロージャ。
【請求項２】
前記クーラントラインガイドが据え付けられる、少なくとも１つの配管支持機構を更に含んで構成される請求項１に記載のエンクロージャ。
【請求項３】
前記クーラントラインガイドが少なくとも１つの管路隔離部を含んで構成される請求項１に記載のエンクロージャ。
【請求項４】
前記管路隔離部は、前記キャビネットが前記エアコンディショナの動作により強制される範囲の温度に亘って前記クーラントラインが互いに接触するのを回避する際の、前記クーラントラインの動きを可能にする請求項３に記載のエンクロージャ。
【請求項５】
前記クーラント圧縮機／冷却機から前記低温装置のハウジングに一部で収められた低温装置の少なくとも１つの要素へのクーラントラインの経路を、少なくともその一部で包囲するクーラントラインガイド封入体を更に含んで構成される請求項１に記載のエンクロージャ。
【請求項６】
前記クーラントラインガイド封入体のうち前記低温装置に対して近い側の表面が、前記低温装置のハウジングの近い側の表面の輪郭にほぼ合致する請求項５に記載のエンクロージャ。
【請求項７】
前記クーラントラインガイド封入体が断熱された請求項５に記載のエンクロージャ。
【請求項８】
前記クーラントラインガイド封入体が、前記クーラントラインガイド封入体の内部構造に対して前記クーラントラインを支持するとともに、これを分離する請求項５に記載のエンクロージャ。
【請求項９】
前記クーラントラインガイド封入体が、フランジ付きのクリアランスホールにより前記キャビネットに結合される前記請求項５に記載のエンクロージャ。
【請求項１０】
前記フランジ付きのクリアランスホールが、前記クーラントラインの前記クーラントラインガイド封入体への挿入を可能にするとともに、前記キャビネットに対してシールされる請求項５に記載のエンクロージャ。
【請求項１１】
前記クーラントラインガイド封入体から、その前記キャビネットに対して遠い側の端部で出るクーラントラインが、複数の個別のクローズフィットホールを含んで構成され、そのそれぞれが単一のクーラントラインに対して安定した漏れの少ない通路を形成する請求項５に記載のエンクロージャ。
【請求項１２】
前記クーラントラインガイド封入体が、前記クーラントラインを、前記低温装置とのインターフェース部に至るまでの全体を包囲する請求項５に記載のエンクロージャ。
【請求項１３】
前記クーラントラインガイド封入体が、前記クーラントライン及び前記低温装置のうち前記ハウジング内に配置されていない要素の全体を包囲する請求項５に記載のエンクロージャ。
【請求項１４】
調整された空気を前記クーラントラインガイド封入体のうち前記キャビネットに対して遠い側の部分に向ける予備のベンチレーションシステムを更に含んで構成される請求項１に記載のエンクロージャ。
【請求項１５】
閉ざされた場合に前記キャビネットを実質的に閉口させる少なくとも１つの断熱されたドアを更に含んで構成される請求項１に記載のエンクロージャ。
【請求項１６】
前記クーラント圧縮機／冷却機を前記キャビネット内で支持するラックアッセンブリを更に含んで構成される請求項１に記載のエンクロージャ。
【請求項１７】
前記エアコンディショナが、前記キャビネット内の空気ボリュームから熱を除去する請求項１に記載のエンクロージャ。
【請求項１８】
前記エアコンディショナが、前記キャビネット内の空気ボリュームから水蒸気を除去する請求項１に記載のエンクロージャ。
【請求項１９】
前記エアコンディショナが、前記キャビネット内の空気ボリュームに熱を付加する請求項１に記載のエンクロージャ。
【請求項２０】
前記エアコンディショナが、前記キャビネット内の空気ボリュームに水蒸気を付加する請求項１に記載のエンクロージャ。
【請求項２１】
ハウジング内の低温装置を補助する少なくとも１つのクーラント圧縮機／冷却機を収容するためのエンクロージャであって、
少なくとも１つのクーラント圧縮機／冷却機を前記ハウジング内の装置の側面に近接させて機械的に支持する手段と、
前記支持手段を取り囲む熱的に絶縁されたボリュームを閉塞させる手段と、
前記閉塞手段から熱を除去する手段と、を含んで構成されるエンクロージャ。
【請求項２２】
前記閉塞手段内の水分濃度を制御する手段を更に含んで構成される請求項２１に記載のエンクロージャ。
【請求項２３】
前記低温装置に向けて少なくとも一部の経路に通じる断熱されたボリューム内にクーラントラインを封入し、及び案内する手段と、
クーラント圧縮機／冷却機からのクーラントラインを前記閉塞手段内に位置させる手段であって、クーラントラインの互いの及びこの手段を含むもの以外の表面との接触を防止する手段と、を更に含んで構成される請求項２１に記載のエンクロージャ。
【請求項２４】
ハウジング内の低温装置を補助する少なくとも１つのクーラント圧縮機／冷却機のための調整された環境を提供する方法であって、
前記クーラント圧縮機／冷却機を前記低温装置のハウジングの側面に近接させて支持するステップと、
前記クーラント圧縮機／冷却機を含む熱的に絶縁されたボリュームを閉塞させるステップと、
前記閉塞ボリュームから熱を除去するステップと、を含んで構成される方法。
【請求項２５】
閉ざされたボリューム内の水分濃度を調整するステップを更に含んで構成される請求項２４に記載の方法。
【請求項２６】
前記低温装置に向けて少なくとも一部の経路に通じる断熱されたボリューム内にクーラントラインを封入し、及び案内するステップと、
クーラント圧縮機／冷却機からのクーラントラインを閉ざされたボリューム内に位置させるステップであって、前記クーラントラインを互いに接触させ、又は他の表面と接触させるのを防止するステップと、を更に含んで構成される請求項２４に記載の方法。
【発明の詳細な説明】
【技術分野】
【０００１】
本発明は、低温装置のエンクロージャに関し、詳細には、超伝導変圧器の動作を補助する圧縮機及び配管の収容部を形成する断熱性のハウジングに関する。
【背景技術】
【０００２】
低温クーラ（又はクライオクーラ）は、超伝導装置の導電性要素の温度を超伝導が生じる範囲にまで低下させるのに用いられており、この範囲においては、温度抵抗が０近傍にまで低下して、比較的に小さな断面積の導体に非常に大きな電流を導通させることが可能となる。マルチキロワットの工業向け又は住宅向けの配電のための典型的な事業用変圧器においては、たとえば、必要な電流を流すのに１５トン又はそれ以上の銅が必要とされる場合があり、温度の均等化は、自動車のエンジンオイルに近似する特性を有し、場合によっては電気ファンを備えた外部ラジエータにより熱を大気中に放出させる何トンもの高純度な石油精製（鉱物）オイルにこの変圧器を浸すことによりなされる。これに対し、同じ事業用負荷のための超伝導変圧器においては、導体の重さが１トン又はそれ以下であるとともに、物理的な占有空間が僅かであり、かつ鉱物オイルの使用が必要とされない場合がある。
【発明の開示】
【発明が解決しようとする課題】
【０００３】
公知の超伝導体材料は、それらの特性により分類することができる。それらのなかには、最低限の超伝導のみを生じ、大きな電流の印加により超伝導性が損なわれる特性のものがある。他のものは、絶対零度（０ケルビン、すなわち、摂氏−２７３．１５度）の僅かな範囲内でのみ超伝導を生じ、外部の環境温度に対して作動温度を維持することに大きな労力が伴う。更に他のものは、極度に壊れ易く、極めて緩やかな応力のもとで亀裂を生じる傾向にあり、これにより超伝導セグメントの間に抵抗性の境界が形成され、そのような超伝導体が大きな電流及び可変負荷に使用された場合に、破壊的なホットスポットを生じる。近年において、２０ケルビンの温度で工業用アンペアを導通可能な超伝導体は、高温超電導体と呼ばれている。将来において、より高い温度でより大きな電流を導通させる高温超伝導体が商業的な成功を収めるかもしれない。
【０００４】
代表的な電気超伝導装置は、断熱された容器に収められた場合に経済的に動作し、冷媒及び電力の伝達のためのワイヤがこれを通過する一方、熱の伝達は比較的に低い効率に抑えられる。少なくとも一部で真空排気された熱的境界部を採用する容器は、一般的に（及び、ここにおいて）デュワーと呼ばれる。
液体窒素を使用する低温クーラの出力によれば、デュワーの外囲体と内部のヘリウムガスベースのシステムとの間に有効な熱的バリアを形成するように適合させ得るヒートシンクを形成することが可能であり、これにより超伝導型の事業用変圧器に必要とされる温度を維持することができる。そのようなシステムについては、液体窒素低温クーラにおいて、廃熱を他の熱交換器に有効な効率で伝達させるのに充分に高い温度で作動する高温加圧のガスセグメントと、相変化後の窒素を輸送してヒートシンクに戻す低温高圧の液体セグメントと、窒素のための蒸発熱がデュワーから受け入れられる低温低圧のガスセグメントと、熱を運ぶ窒素ガスの温度を加圧により上昇させる圧縮機セグメントとを設けることができる。
【０００５】
熱交換媒体としてヘリウムを使用して作動する低温クーラは、室温よりも幾分広い通常範囲内の、２００〜４００Ｋ近傍の温度で廃熱を放出することが可能である。そのような低温クーラによれば、たとえば、良好、かつ安全に廃熱を周囲の大気中に放出させることができる。そのような装置を完全に、かつ世界的な野外環境下で作動させるには、スクロール圧縮機及び他の低温クーラ技術の要素からの充分な性能が必要とされる。
【０００６】
ヘリウム低温クーラにおいては、近時の技術による典型的なヘリウム低温クーラがサイクル内での相変化を伴わない点を除いて、上記の窒素低温クーラにおけると実質的に同じ熱サイクルを採用することが可能であり、より高く、そのため、より技術上挑戦的でない範囲の温度でプロセスを行わせることを可能とする簡易化を採用し得る。超伝導変圧器と低温クーラのヘリウムとの間における熱カップリングは、デュワー内の更に断熱されたチャンバで形成され、ここにおいて、ヘリウムガスがこの変圧器を含浸して、超伝導体の出力管理プロセスからの廃熱を捕捉する。熱カップリングは、上記の窒素低温クーラの熱交換器のためのヒートシンクとして機能するヘリウム低温クーラによっても形成することができる。
【０００７】
従って、当該技術においては、丈夫で寿命の長いヘリウム型の圧縮機／熱交換器システムが全天候運転に適するように収められることが必要であり、この圧縮機／熱交換器は、大規模、かつ高出力の超伝導体に対して直接的に役立ち得るものであるとともに、窒素型のシステムと組み合わせ、制御下にない環境に対して廃熱を効果的に放出させることが可能である。
【課題を解決するための手段】
【０００８】
以上の要求は、本発明によりその大部分で達成され、１つの側面において、幾つかの実施形態で超伝導変圧器の動作を補助する装置が提供され、この変圧器は、環境調整下にあるハウジング内にヘリウムベースの複合ユニット冷却装置を備える。ハウジングは、更にヘリウム冷却装置から窒素熱交換器のフィードポートに通じるクーラントラインに対して案内、断熱及び保護を提供する。
【０００９】
本発明の１つの側面によれば、ハウジング内の超伝導変圧器のための少なくとも１つのクーラント圧縮機／冷却機を収容するエンクロージャは、超伝導変圧器の断熱デュワーに結合されたキャビネットと、このキャビネットに取り付けられたエアコンディショナと、少なくとも１つの圧縮機を支持するラックアッセンブリと、キャビネット内に配置された複数のクーラントラインガイドと、を含んで構成される。
【００１０】
本発明の他の側面によれば、ハウジング内の低温装置を補助する少なくとも１つのクーラント圧縮機／冷却機を収容するエンクロージャは、クーラント圧縮機／冷却機をこのハウジング内の低温装置の側面に近接させて機械的に支持する手段と、この支持手段を取り囲む熱的に絶縁されたボリュームを閉塞させる手段と、この閉塞手段から熱を除去する手段と、閉塞手段内の水分濃度を調整する手段と、を含んで構成される。
【００１１】
本発明の更に別の側面によれば、ハウジング内の低温装置を補助する少なくとも１つのクーラント圧縮機／冷却機のための調整された環境を提供する方法は、クーラント圧縮機／冷却機をこのハウジング内の低温装置の側面に近接させて支持するステップと、クーラント圧縮機／冷却機を含む熱的に絶縁されたボリュームを閉塞させるステップと、この閉塞ボリュームから熱を除去するステップと、閉塞ボリューム内の水分濃度を調整するステップと、低温ヘッドに向けて少なくとも一部の経路に通じる断熱されたボリューム内にクーラントラインを封入し、及び案内するステップと、を含んで構成される。
【００１２】
本発明の形態について、その概略を広く説明した。以下において、本発明の詳細について明らかとなるであろうし、本発明の当該分野における貢献も明確となる。以下で本発明の他の形態について説明され、添付した請求の範囲の主題を形成することは勿論である。
ここにおいて、本発明の少なくとも１つの実施形態について詳細に説明するに当たり、本発明は、以下の説明で言及され、又は図面に記載された構成の詳細及び要素の配置の例に限定されるものではないことを理解すべきである。本発明は、これらの記載のもの以外の形態とし、多様な方法で実施し、及び実現することが可能である。また、ここで採用する表現及び語法は、要約についても同様に、説明を目的とするものであり、限定的な意味を意図したものではないことも理解すべきである。
【００１３】
当業者にとっては、この開示が基づく概念が本発明の幾つかの目的を実現するための他の構成、方法及びシステムを設計するに際しての基礎として容易に利用し得ることが理解される。従って、本発明の精神及び範囲から逸脱しない限りにおいて、請求の範囲にそのような均等な構成が含まれると考えることは、重要である。
【発明を実施するための最良の形態】
【００１４】
以下、添付の図面を参照して、本発明について詳述し、全体を通じて、同一の部分については同一の符号により示すこととする。本発明は、幾つかの実施形態において、冷却装置に対する均一な環境制御と、超伝導変圧器の外部にあるクーラントラインに対する保護とを達成して、このクーラントラインを介する低温流体の制限されない流れを形成することの可能な装置及び方法を提供する。
【００１５】
事業用配電のための超伝導変圧器の現在の設計コンセプトにおいては、その巻線に対し、超伝導フィルムが付着された導電性のリボンを使用することが期待されており、この方法によれば、構造的な強度を付与するとともに、試験、電力の適用及び不慮の運転停止等の活動時における作業のため、性能の低下に拘わらず代わりの電流通路を形成することが可能である。超伝導リボンが電流に対して形成する抵抗は、導電性が完全である部分については無視し得るほどであるが、現在の技術によれば、運転時に熱が消散される非超伝導性の境界を残して、超伝導セグメントの有効長さを制限する。超伝導変圧器の巻線は、典型的な変圧器コアと同等のコアを包囲しており、ここにおいて、運転時における熱と同様に電気エネルギが消散される。現在のシステム導入のなかには、相互に実質的に断熱され、３つの内部熱交換器システムでヘリウムガスにより個々に冷却される３つの部分に熱発生器を分割するものがある。
【００１６】
ここに記載される例示のシステムにおける熱交換器は、ヘリウムベース及び窒素ベース双方の形式のものを含み、いずれのものも超伝導変圧器のための冷却プロセスの一部を達成する。ヘリウムベースの熱交換器は、超伝導変圧器の巻線を直接冷却するとともに、デュワーの壁面を介して熱を持ち去り、この熱は、窒素ベースの熱交換器により最初に吸収され、その後、ヘリウムに付与される。ヘリウムは、デュワーから除去された後、この熱を大気中に放出する。
【００１７】
窒素ベースの熱交換器は、デュワーの外囲体に全体が収容された状態で運転するのに充分に簡素であり、ヘリウムベースの熱交換器の１つと結合された流体によりその廃熱を解放する。ヘリウムベースの熱交換器自体については、充分な作動容量が求められ、以前の原型のシステムにおける装置の同様なユニットは、デュワーの外部に配置されていた。ここに記載される例示のシステムにおけるヘリウム−空気熱交換器は、その一部が変圧器のためのハウジングを備える大型のデュワーの内部に、他の一部がデュワー上面の上方に、更に他の一部が外部に配置される。この物理的レイアウトは、超伝導変圧器のための検証及び製造サービスへの移行において、機械的な課題を招来するものである。
【００１８】
アッセンブリの内部において、クーラントラインの経路は、クーラント圧縮機／冷却器から、超伝導変圧器の内部アッセンブリを封入する変圧器タンクのカバーアッセンブリに取り付けられた少なくとも１つの低温クーラの低温ヘッドにまで延伸し、ここにおいて、低温ヘッドとの用語は、当該分野において、低温クーラントラインを低温ハウジングに結合するインターフェース装置を示すものとして理解され、必ずしもハウジングの上面にある必要はないとするのが一般的である。また、変圧器タンクとの用語は、変圧器を封入するハウジングを意味し、そのようなタンクは、シーリング、真空排気、又はそうでなければ、変圧器の作動環境の制御を可能とするものである。
【００１９】
図１は、一実施形態に係るエンクロージャを示している。図１において、ハウジング１０は、複数の冷却ユニット１２を封入しており、冷却ユニット１２からそれらの対応する（超伝導変圧器２０の付属装置としての）低温ヘッド１８に導かれたクーラントライン１６のためのガイド１４を形成している。このクーラントラインガイド封入体１４は、断熱された金属ケーシングであるのが好ましい。エンクロージャのハウジング１０に対し、住むのに適した可搬ビルディング及び野外環境下に置かれる他のエンクロージャにおける環境制御に使用されるものと本質的に近似するエアコンディショナ２２が取り付けられている。ハウジング１０は、検査及び作業を容易にするアクセスドア２４を備えている。ハウジング１０は、変圧器の低温要素を収容するデュワー２６の側面に取り付けられている。
【００２０】
本実施形態に係るクーラントラインガイド封入体１４の外部構造は、クーラントライン１６が配置される経路にほぼ沿って構成することが可能である。クーラントラインガイド封入体１４は、ハウジング１０の対応する開口にはめ込まれるとともに、クーラントライン１６をそれらの経路の一部で包囲しており、外部環境的な事象からの安定及び保護を提供する。図示のクーラントラインガイド封入体１４の継続は、クーラントライン１６が低温ヘッド１８に接続する位置までこれを包囲するように形成し、この構成において、低温ヘッド１８をそれらの全体に亘って包囲することが可能である。たとえば、主ハウジング１０からの空気ダクトを、低温ヘッド１８近傍の閉ざされた容積が過熱しないように形成することができる。そのような空気ダクトにとっては、付加的な冷却容量が必要とされる場合もある。
【００２１】
図２は、クーラントラインガイド封入体１４を他の視点から示している。基部フランジ３０は、構造的な安定と、主ハウジング１０に対するシーリングを提供する。上部フェース３２は、クーラントラインガイド封入体１４を封止しており、強制給気がある場合において、主ハウジング１０内で確立された熱制御をこの封入体１４の末端にまで拡張させることを可能にする。クーラントラインガイド封入体１４は、クーラントライン１６の周りに取り付けられる、あらゆる断熱に対する付属物と同様に断熱させることが可能である。クーラントラインガイド封入体１４の内部において、配管支持ブラケット３４は、クーラントライン１６が温度変化に伴って膨張及び収縮した場合のそれらの位置変化に適合する一方、分離を維持し、振動を抑制する。入口及び出口双方のラインを流れるガスの極端な冷えにより、大抵の材料がそのような温度では限られた強度しか発揮しない傾向にあるため、ラインに機械的なストレスが生じる。
【００２２】
図３は、ハウジング１０の他の側面を示している。エアコンディショナ３６は、ヘリウムガスベースの冷却ユニット１２が作動する温度に調整するように構成することが可能である。変圧器２６から除去された熱の大部分は、ヘリウムシステムに接続され、直接放出される。デュワー自体を介する外部からの熱の漏れは、窒素システムにより捕捉されるとともに、ヘリウムシステムに接続され、同様に放出される。しかしながら、冷却システム内のヘリウムは、変圧器の境界で２０Ｋ未満に維持される必要があり、窒素システムに対して直接的には接続されていない変圧器熱の実質的な部分は、デュワーの内部に配置されたヘリウムガス圧縮機により除去される必要がある。これは、独立型のスクロール圧縮機及び関連する熱移送器を使用して実現することが可能である。
【００２３】
スクロール圧縮機ベースの冷却ユニット１２は、一般的には摂氏約１０〜２０度（華氏約５０〜７０度）の狭く、かつ低い温度範囲の冷却空気を引き込むことができる場合に好ましい効率で作動するものであるため、実験室環境及び過酷な環境で野外に展開する場合の双方において、空気ボリュームをこの温度範囲内に維持するように適合されたエアコンディショナ３６が望まれる。エアコンディショナ３６の広い範囲に亘る商用寸法、形状因子及び容量は、信頼性のある温度調整を確立し、及びこれにより超伝導変圧器の安定した運転を達成するのに有利である。冬期における冷間再始動時のように、超伝導変圧器から熱を除去する際の仕事にも拘わらず環境への熱損失の速度が冷却ユニット１２をそれらの最適範囲を下回るほどにまで冷却するのに充分である箇所に超伝導変圧器が配置される場合において、エアコンディショナ３６は、場合によってはハウジング１０内の温度を上昇させることが可能なヒートポンプであるのが好ましい。エアコンディショナ３６に求められる冷却容量は、日照時間に基づいて、自然発生的な環境の範囲に亘り、かつ気候により分類される周囲の気温を加えて計算することが可能である。
【００２４】
空調は、閉ざされたボリュームにおける湿度調整も含む。この適用例については、望ましい湿度の有効な下限がないため、空調は、漏れにより又は作業時における空気の入替えによりエンクロージャ内に導入される湿度を除去するように構成することが可能である。環境によっては、過度に低い範囲の湿度が不利に働いて、たとえば、敏感な電気装置に対する静電放電ダメージの危険性を増大させる場合があり、そのような危険性が重大である場合においては、閉ざされた空気ボリュームに対する慎重な湿度の付加が望まれる。
【００２５】
図３は、また、作業時における冷却ユニット１２及びクーラントライン１６への即座のアクセスを提供することともに、ハウジング１０内への熱の通過を制限することが可能な断熱ドア３８を示している。複合ユニットマウントラック４２は、冷却ユニット１２を安定して支持することが可能であり、クーラントライン１６に対して機械的なストレスを生じさせる動作を少なくともある程度までは軽減させるために潜在的に装備される。
【００２６】
ここに記載されるような低温クーラマネジメントシステムの付加的な特徴は、輸送時におけるシステムの統合が確保されることであるのが好ましい。このため、適切な構造的一体性を有するシステムは、１つの、シーリングされた、単一の構成として路上輸送に耐えることが可能であり、これにより設置及び試験時間ばかりでなく、汚染及び損傷の危険性についても制御することができる。
【００２７】
ハウジングの一例が、電気的に作動するエアコンディショナ３６を使用したものについて示されたが、圧縮空気渦型の熱交換器及び冷却水型の熱交換器等、他の形式の空冷ユニットが超伝導変圧器について求められる除熱能力を提供することが可能であることが理解される。また、ハウジングは、原型の超伝導変圧器の環境下で熱移送を一定の速度で形成するのに便利であるが、これは、たとえば、研究用原子炉、サイクロトロン及び他の低温科学の用途等の熱臨界的な用途を含む他の適用において、確実な熱移送のために使用することも可能である。
【００２８】
以上に記載したシステムは、当該分野でよく知られたヘリウム−空気熱交換器を組み込んだものであるが、アンモニア若しくはフルオロカーボン等の閉システムにおけるか、又は水の蒸発若しくは解放等の開システムにおけるかによらず、ヘリウムシステムからより高い効率での移送が可能な流体に熱を直接伝達させることにより、複合熱交換プロセスに固有の非効率性が低減されるのが好ましい。
【００２９】
本発明の多くの特徴及び利点は、この詳細な説明から明らかであり、添付した請求の範囲は、本発明の精神及び範囲に属し得るそのような全ての特徴及び利点を含むことを意図したものである。また、当業者においては多くの修正及び変形を考え得るであろうし、図示し、又は説明した正にその構成及び動作に本発明を限定しようとするものではない。従って、適切な全ての修正例及び均等物は、本発明の範囲に含まれる。
【図面の簡単な説明】
【００３０】
【図１】本発明の一実施形態により収容されたヘリウムガス冷却装置を備える超伝導変圧器システムを示す斜視図
【図２】クーラントラインガイド封入体の斜視図
【図３】冷却装置のハウジングの斜視図
【符号の説明】
【００３１】
１０…ハウジング、１２…冷却ユニット、１４…クーラントラインガイド封入体、１６…クーラントライン、１８…低温ヘッド、２０…超伝導変圧器、２４…アクセスドア、２６…デュワー、３０…基部フランジ、３２…上部フェース、３４…配管支持ブラケット、３６…エアコンディショナ、３８…断熱ドア。
【図１】
2007509283.tif 000003
【図２】
2007509283.tif 000004
【図３】
2007509283.tif 000005
【国際調査報告】
2007509283.tif 000006
2007509283.tif 000007
2007509283.tif 000008